(57)【特許請求の範囲】
【請求項１】
貯蔵室の前面開口に併置した左右扉は観音開き式に閉塞され、前記左右扉の少なくともいずれか一方の反枢支側の内面に縦方向に亙る回転仕切体が設けられ、前記回転仕切体が扉ガスケットの吸着面とされる冷蔵庫において、前記回転仕切体は、扉ガスケットの吸着面を形成する樹脂製仕切板と、前記回転仕切体内部に配設された断熱材と、前記仕切板の周縁部および前記断熱材の外面を覆う樹脂製仕切枠体と、前記回転仕切体の上部にガイド機構を有するキャップと、前記扉ガスケットに対向して前記回転仕切体内部に設けられたマグネットと、を備え、前記回転仕切体内部に側面部を折り曲げ断面コの字状に形成された金属製補強板が配置されたもので、前記金属製補強板の側面部に形成された穴と前記樹脂製仕切枠体に形成された係合部材とで前記金属製補強板は前記樹脂製仕切枠体に固定されるとともに、前記樹脂製仕切板と前記樹脂製仕切枠体と前記金属製補強板とを前記キャップで連結固定する冷蔵庫。
【請求項２】
前記回転仕切体内には前記樹脂製仕切板の表面温度を上げる加温手段が設けられ、前記加温手段を中心とした所定円周の外側に前記金属製補強板を配設した請求項１に記載の冷蔵庫。
【請求項３】
前記金属製補強板の断面コの字状に形成された平面部と前記加温手段の中心までの距離に対し、前記金属製補強板の端部と前記加温手段の中心までの距離を長くした請求項１または２に記載の冷蔵庫。
【請求項４】
前記金属製補強板は前記回転仕切体の長手方向略全長域に配置された請求項１から３のいずれか一項に記載の冷蔵庫。
【発明の詳細な説明】
【技術分野】
【０００１】
本発明は、貯蔵室の前面開口を併置した左右扉で観音開き式に閉塞した冷蔵庫に関する。
【背景技術】
【０００２】
家庭用の冷蔵庫は、多様なユーザニーズに対応すべく冷却貯蔵温度の多様化とともに貯蔵室ごとに多くの扉を設けた冷蔵庫が商品化されている。冷凍室を上部に配置したトップフリーザータイプ、上部の冷蔵室と下部の野菜室との間に冷凍室を配置したミッドフリーザータイプ、冷凍室を最下部に配置したボトムフリーザタイプ、上部の冷蔵室の下方に縦長の冷凍室と野菜室を併置したタイプ、冷凍室と冷蔵室とを左右に併置したサイドバイサイドタイプなど様々な形態が商品化されてきた。
【０００３】
近年では、使い勝手を考慮して、使用頻度が高く収納容積の最も大きい冷蔵室を観音開き式の扉として最上段に配置し、その下方に製氷室や温度切替室、そしてその下方に野菜室、最下部に冷凍室を設置したタイプが主流になっている。冷蔵室の観音開き式扉の一方の開放端側の内面に閉扉時に他方の扉側へ回動する仕切体を取付けている。そして、仕切体は扉周縁のガスケットの吸着面となる。
【０００４】
更に、大型化した観音開き式の扉は縦方向寸法も長くなり、縦方向に長い仕切体が湾曲することによる外面意匠上の課題を有する。その課題を解決するために、回転仕切体の扉ガスケットの吸着面を形成する薄鋼板製の仕切板は、平板状の吸着面とその両側端縁を内方に折り返して重ね合わせ、さらに内方に折曲してアングル部を有する形状としている。仕切板の周縁部および仕切板の庫内側に設けた断熱部材の外面は合成樹脂製の仕切枠体で覆われるとともに、仕切枠体で仕切板を係合保持し、仕切板内面に面ヒータを貼付けて仕切板表面に発生する結露を防止したものが広く普及している（例えば、特許文献１参照）。
【０００５】
以下、図１８、図１９を用いて、従来の冷蔵庫の回転仕切体の仕様を説明する。
【０００６】
回転仕切体１３は、吸着面を形成する磁性体である薄鋼板製の仕切板１６と、断熱層を形成する発泡スチロール製の成形断熱部材１８と、これらを覆って回転仕切体１３の外郭を形成する合成樹脂製の仕切枠体１７と、仕切板１６の内面に配設されたアルミ箔ヒータなどからなる面ヒータ１９と、回転仕切体１３の上端部に配設され、上端面にガイド溝が形成されたキャップ部材５８とから構成されている。
【０００７】
上記の構成では、薄鋼板製の仕切板１６と面ヒータ１９が直接接触しているため、漏電対応として仕切板１６と冷蔵庫１本体を接続するアース線を配設する必要がある。
【０００８】
また、冷蔵庫と回転仕切体１３の嵌合を目的としたキャップ部材５８は、仕切板１６と仕切枠１７のそれぞれの上部終端を覆って連結する役目も果たしている。
【先行技術文献】
【特許文献】
【０００９】
【特許文献１】特開２０１０−２４９４９１号公報
【発明の概要】
【発明が解決しようとする課題】
【００１０】
しかしながら、上記従来の構成では、低温となった冷蔵室で冷やされた扉ガスケット１２が、熱伝導率の高い薄鋼板製の仕切板１６に直接接触することに加え、仕切板１６が庫内側へ折り曲げた形状としているため、仕切板１６の大気開放部の表面温度が低下し、必要以上に面ヒータの容量が大きくなり消費電力量が増加する。さらに、ヒータを接続する電線部分も仕切板１６に配置するので取付スペースが大型化するという課題を有していた。
【００１１】
本発明は、上記の課題を解決するもので、回転仕切体のヒータ等の加温手段への電力入力を低減し、回転仕切体の構成をも簡素化できる冷蔵庫を提供することを目的とする。
【課題を解決するための手段】
【００１２】
上記従来の課題を解決するために、本発明の冷蔵庫は、貯蔵室の前面開口に併置した左
右扉は観音開き式に閉塞され、前記左右扉の少なくともいずれか一方の反枢支側の内面に縦方向に亙る回転仕切体が設けられ、前記回転仕切体が扉ガスケットの吸着面とされる冷蔵庫において、前記回転仕切体は、扉ガスケットの吸着面を形成する樹脂製仕切板と、前記回転仕切体内部に配設された断熱材と、前記仕切板の周縁部および前記断熱材の外面を覆う樹脂製仕切枠体と、前記回転仕切体の上部にガイド機構を有するキャップと、前記扉ガスケットに対向して前記回転仕切体内部に設けられたマグネットと、を備え、前記回転仕切体内部に側面部を折り曲げ断面コの字状に形成された金属製補強板が配置されたもので、前記金属製補強板の側面部に形成された穴と前記樹脂製仕切枠体に形成された係合部材とで前記金属製補強板は前記樹脂製仕切枠体に固定されるとともに、前記樹脂製仕切板と前記樹脂製仕切枠体と前記金属製補強板とを前記キャップで連結固定するものである。
【００１３】
これにより、仕切板表面の温度は庫内外からの熱影響が少なくなるため上昇し、結露を防止するための加温手段への電力入力が抑制される。さらに、アース線の廃止ができると共に、仕切体の内側に磁性体を配設するスペースも確保でき、簡単な構成で低コスト化が図れる。
【発明の効果】
【００１４】
本発明の冷蔵庫は、回転仕切体の構成を簡素化するとともに、結露を防止するための電力入力を最小限に抑制でき、省エネを図ることができる。
【図面の簡単な説明】
【００１５】
【図１】本発明の実施の形態１による冷蔵庫の観音開き式扉の開扉状態を示す正面図
【図２】本発明の実施の形態１による冷蔵室の閉扉状態での要部を示す断面図
【図３】本発明の実施の形態１による冷蔵室の図２のＡ−Ａ断面図
【図４】本発明の実施の形態１による冷蔵室の回転仕切体の分解斜視図
【図５】（ａ）本発明の実施の形態１による冷蔵室の断熱材と加温手段の組立て側面図、（ｂ）図５（ａ）のＢ−Ｂ断面図、（ｃ）図５（ａ）のＣ部拡大図
【図６】本発明の実施の形態１による冷蔵庫の加温手段の通電率と仕切板の表面温度の関係を説明したグラフ
【図７】本発明の実施の形態１による冷蔵庫の加温手段の具体構成図
【図８】本発明の実施の形態１による冷蔵庫のヒータ各部位におけるヒータ発熱量と仕切板表面温度の関係を説明した図
【図９】本発明の実施の形態２による冷蔵室の閉扉状態での要部を示す断面図
【図１０】本発明の実施の形態２による冷蔵室の図９のＤ−Ｄ断面図
【図１１】本発明の実施の形態２による冷蔵室の回転仕切体の分解斜視図
【図１２】本発明の実施の形態２による冷蔵庫の加温手段の具体構成図
【図１３】本発明の実施の形態３による冷蔵室の回転仕切体の分解斜視図
【図１４】本発明の実施の形態３による冷蔵庫の加温手段の具体構成図
【図１５】本発明の実施の形態４による冷蔵室の閉扉状態での要部を示す断面図
【図１６】本発明の実施の形態５による冷蔵室の閉扉状態での要部を示す断面図
【図１７】本発明の実施の形態６による冷蔵室の閉扉状態での要部を示す断面図
【図１８】従来の冷蔵庫の冷蔵室扉の閉扉状態を示す断面図
【図１９】従来の冷蔵庫の回転仕切体の分解斜視図
【発明を実施するための形態】
【００１６】
請求項１に記載の発明は、貯蔵室の前面開口に併置した左右扉は観音開き式に閉塞され、前記左右扉の少なくともいずれか一方の反枢支側の内面に縦方向に亙る回転仕切体が設けられ、前記回転仕切体が扉ガスケットの吸着面とされる冷蔵庫において、前記回転仕切体は、扉ガスケットの吸着面を形成する樹脂製仕切板と、前記回転仕切体内部に配設された断熱材と、前記仕切板の周縁部および前記断熱材の外面を覆う樹脂製仕切枠体と、前記回転仕切体の上部にガイド機構を有するキャップと、前記扉ガスケットに対向して前記回転仕切体内部に設けられたマグネットと、を備え、前記回転仕切体内部に側面部を折り曲げ断面コの字状に形成された金属製補強板が配置されたもので、前記金属製補強板の側面部に形成された穴と前記樹脂製仕切枠体に形成された係合部材とで前記金属製補強板は前記樹脂製仕切枠体に固定されるとともに、前記樹脂製仕切板と前記樹脂製仕切枠体と前記金属製補強板とを前記キャップで連結固定することにより、冷蔵庫の庫内外の温度差による前記回転仕切体の反りが防止でき、外部からの庫内への熱侵入を抑えることができる。
【００１７】
さらに、仕切板表面は単一部品であるため、段差や色調違いが発生することなく、見栄えがよく外観品位が高い冷蔵庫を提供することが出来る。
【００１８】
また、仕切板が樹脂製であるため、仕切板表面の温度が上昇し、露点温度に対する尤度が上がるため、結露に対して最小限の電力入力で防止することができ、省エネとなる。
【００２２】
請求項２に記載の発明は、請求項１に記載の発明において、前記樹脂製仕切枠体には前記樹脂製仕切板の表面温度を上げる加温手段が設けられ、前記加温手段を中心とした円周外において、前記金属製補強板を配設したことにより、加温手段からの発熱が庫内側へ伝わり難くなるため庫内の冷却負荷量が低減され省エネになる。また、反対に庫内からの熱
影響も低減できるため、回転仕切体の仕切板表面温度の温度分布ばらつきが抑制されると共に、表面温度を上げるための不必要な電力入力が削減できるため省エネとなる。さらに、金属製補強板が加温手段から受ける熱量が軽減されるため、熱膨張による温度差での反りを抑制することが出来る。
【００２３】
請求項３に記載の発明は、請求項１または２に記載の発明において、前記金属製補強板の断面コの字状に形成された平面部と前記加温手段の中心までの距離に対し、前記金属製補強板の端部と前記加温手段の中心までの距離を長くしたことにより、加温手段の中心から最も近い距離は、金属製補強板の断面コの字状に形成された平面部となるため、断熱厚みが最大限取れる。故に、回転仕切体の強度確保と庫内への熱侵入抑制による省エネの両立を図ることが出来る。
【００２４】
請求項４に記載の発明は、請求項１から３のいずれか一項に記載の発明において、前記金属製補強板は前記回転仕切体の長手方向略全長域に配置されたことにより、反りの影響を排除することができるため、外部からの熱侵入を抑えた高信頼性の扉密閉が確保できる。
【００２５】
以下、本発明の実施の形態について、図面を参照しながら説明する。なお、この実施の形態によってこの発明が限定されるものではない。
【００２６】
（実施の形態１）
図１は本発明の実施の形態１による冷蔵庫の観音開き式扉の開扉状態を示す正面図、図２は同実施の形態１による冷蔵室の閉扉状態での要部を示す断面図、図３は同実施の形態１による図２のＡ−Ａ断面図、図４は同実施の形態１による冷蔵室の回転仕切体の分解斜視図、図５（ａ）は同実施の形態１による冷蔵室の断熱材と加温手段の組立て側面図、（ｂ）は図（ａ）のＢ−Ｂ断面図、（ｃ）は図（ａ）のＣ部拡大図、図６は同実施の形態１による冷蔵庫の加温手段の通電率と仕切板の表面温度の関係を説明したグラフである。図７は冷蔵庫の加温手段の具体構成図、図８は冷蔵庫のヒータ各部位におけるヒータ発熱量と仕切板表面温度の関係を説明した図である。
【００２７】
図１において、冷蔵庫１００は向かって左側に位置する左側扉１０２及び向かって右側に位置する右側扉１０３を有し、図１では左側扉１０２と右側扉１０３を開扉させた状態を示している。左側扉１０２と右側扉１０３とが設けられている部分は冷蔵貯蔵室１０５の部分であり、左側扉１０２の下は製氷室１０６、さらに下は冷凍貯蔵室１０７、野菜室１０８とされている。右側扉１０３の下、製氷室１０６の右隣には切替室１０９が設けられている。
【００２８】
左側扉１０２と右側扉１０３はそれぞれヒンジ部により枢支されて左側と右側に開くように構成されており、左側扉１０２の非枢支側には回転仕切体２００を設けている。この回転仕切体２００は、左側扉１０２の開閉動作に応じて回転し、閉扉された状態では、左側扉１０２、右側扉１０３の非枢支側を扉ガスケット１１０を介して閉塞して、冷蔵貯蔵室１０５内からの冷気漏れを防止している。
【００２９】
ここで、各貯蔵室間には断熱仕切部材（図示せず）が配置されており、この断熱仕切部材の前面には、鋼板製のカバー５０１、５０２、５０３が配設され、各貯蔵室扉の扉ガスケットを介して閉塞し、各貯蔵室からの冷気漏れを防止している。
【００３０】
次に、図２から図５において、回転仕切体２００は、扉ガスケット１１０の吸着面１１１を形成する仕切板２１０と、回転仕切体２００内部に配設された発泡スチロール製の断熱材２２０と、仕切板２１０の周縁部および断熱材２２０の外面を覆う合成樹脂製の仕切枠体２３０と、仕切板２１０内面中央に配設された加温部分２４１と接続部分２４２で構成される加温手段２４０とから構成されている。また断熱材２２０と仕切枠体２３０の間には、熱膨張係数の小さな例えば金属プレートの補強板２５０が、冷蔵庫の高さ方向に対して回転仕切体２００の略全高域に配置される。
【００３１】
仕切板２１０は、合成樹脂製であり、内面には２つの磁性体２１１が取り付けられてい
る。磁性体２１１は、冷蔵庫の高さ方向に対して回転仕切体２００の略全高域に構成されており、左側扉１０２、右側扉１０３が閉扉した状態において、扉ガスケット１１０内に構成された磁性体１１２と対向するように配置されている。本実施の形態では直方体のプラスチックマグネットを使用した。
【００３２】
加温手段２４０の加温部分２４１及び磁性体２１１は、仕切板２１０と断熱材２２０の間で圧接して保持されている。また、加温手段２４０の加温部分２４１は線状ヒータ等の直線状なもので、磁性体２１１の間に磁性体２１１と並行して配置される。加温手段２４０の接続部分２４２は発熱しない抵抗値の小さな電線であり、加温部分２４１とは逆面側で断熱材２２０と仕切枠体２３０で圧接保持されている。
【００３３】
次に、図４で回転仕切体２００の全体構成について、図５で加温手段２４０の配置について詳細に説明する。
【００３４】
回転仕切体２００は、扉ガスケット１１０の吸着面１１１を形成する合成樹脂製の仕切板２１０と、回転仕切体２００内部に配設された発泡スチロール製の断熱材２２０と、金属製プレートの補強板２５０と、仕切板２１０の周縁部および断熱材２２０の外面を覆う合成樹脂製の仕切枠体２３０と、断熱材２２０の仕切板２１０側に加温部分２４１を、補強板２５０側に接続部分２４２が配置された加温手段２４０で構成される。回転仕切体２００の上部には、冷蔵貯蔵室の天面に取り付けられたガイド１１３によって、ドアを閉めたときにガイドに沿って回転する機構を考慮した仕切枠体２３０と仕切板２１０を連結固定するキャップ２１３が取り付けてある。本実施の形態では、キャップ２１３が仕切枠体２３０と仕切板２１０を連結固定しているが、補強板２５０も一緒に連結固定してもよい。この場合、更に強度が増加される。
【００３５】
また、キャップ２１３は回転仕切体２００の上部につけているが、回転仕切体２００の下部にも同様の機構をつけてもよい。この場合、回転仕切体２００を上下、前後で固定することが出来るため庫内外の熱影響や部品単体の成型等による反りに対する影響を排除することが出来る。
【００３６】
また、仕切板２１０内面中央に配設された加温部分２４１と、仕切板２１０の内面には加温部分２４１を挟む形で２つの磁性体２１１が取り付けられている。尚、加温手段２４０は組立てられた断熱材２２０の最下部で、加温部分２４１（ヒータ）と接続部分２４２（電線）に区切られている。
【００３７】
以上のように構成された冷蔵庫について、以下その動作、作用について説明する。
【００３８】
従来の構成では、冷蔵室３の温度影響で冷やされた扉ガスケット１１，１２が、熱伝導率の高い薄鋼板製の仕切板１６に直接接触することで、仕切板１６の大気開放部の表面温度が低下する。これを補って露点温度以上にするために、面ヒータ１９の容量を大きくする必要がある。本実施の形態の場合、回転仕切体２００の扉ガスケット１１０の吸着面１１１を形成する仕切板２１０を合成樹脂製としているので、図６の加温手段の通電率と仕切板の表面温度の関係のグラフが示す様に、同一の通電率の条件では、本実施例の場合の仕切板２１０の表面温度は、従来の仕切板１６の表面温度に対して約３Ｋ高くなる。また、外気条件が３０℃、７５％のときの露点温度を維持するための通電率は、約１０％低減できる。これは、扉ガスケット１１０が接触する仕切板２１０を熱伝導率の小さな合成樹脂にしたことで、仕切板２１０の大気開放部２１２の温度の低下が抑制されたためである。このように、仕切板２１０の表面温度が上昇する（庫外温度に近づく）ことは、温度の低い庫内からの熱影響が小さくなっていることを意味する。従来の構成では強度確保のため仕切板１６が庫内側へと折り曲げてあるため、ヒータにより暖められた仕切板１６の熱
は庫内側へと侵入し、庫内の冷却負荷となっていた。仕切板２１０を熱伝導率の小さな合成樹脂にしたことで庫内への熱侵入が抑制され、冷却負荷も軽減されている。これによって、省エネ効果も得ることが出来る。
【００３９】
加えて、回転仕切体２００の内部に、扉ガスケット１１０内に構成された磁性体１１２と対向するように、磁性体２１１を配置することで、扉ガスケット１１０との吸着という、回転仕切体２００の基本機能を確保することができる。
【００４０】
さらに、仕切板２１０の表面は、１部品で構成されているため、従来の仕切板１６が取り付いていたような２部品構成での段差や隙間、部品同士での色調違いが起こることもなく、見栄えもよく外観品位の高い冷蔵庫を提供することが出来る。
【００４１】
本実施例では磁性体２１１の材料として直方体のプラスチックマグネットを使用した。マグネットは特性上、特定の方向のみ強く働く異方性と、どの方向もほぼ同じような磁化の強さを持つ等方性がある。本実施の形態では等方性に比べ磁力が強い異方性のマグネットを使用している。これは、冬場等の気温が低い場合に、扉ガスケット１１０が硬化し、ガスケット飛び付き性が劣化し、ガスケット隙が懸念されるが、磁力の強い異方性を用いることで飛び付き性を上げてガスケット隙による冷気漏れを防止できる。
【００４２】
マグネットは幅及び奥行きの寸法が大きくすれば磁力は強くなる。本実施の形態では、扉ガスケット１１０の内部に配設されているマグネットと同寸法とし、中心線を合わせている。これはマグネットの着磁面はＮ極とＳ極があり磁石の反発によって扉ガスケット１１０が浮いて隙間が出来るのを防止するためである。実際、冷蔵庫の長期使用時や、ドアの取り付けばらつきにより、回転仕切体２００と回転仕切体２００が取り付けていない側のドアが概ね２ｍｍ程度ずれる場合があるが、中心線を合わせ、同寸法としているため、ずれた場合でも追従し反発によるガスケット隙を防止することが出来る。新規で開発設計する場合など、構成上、ずれる寸法が大きくなる可能性がある場合は、マグネットの外形左右寸法は中心線を合わせつつ大きくすると良い。
【００４３】
本実施の形態では、左右のドアがずれる寸法を２ｍｍ程度と想定しているが、ずれる範囲が分からない場合は、仕切板２１０と断熱材２２０の間で圧接して保持されている内部のマグネットを、仕切板２１０の断面水平方向に遊びを取ることで、ドアがずれた場合でもマグネットが動きガスケットに追従するようにしても良い。このとき、マグネットは後ろから断熱材２２０によって圧接保持されているため、仕切板２１０に対して浮いて隙間が出来ることはない。
【００４４】
また、マグネットの上下端を分割し、マグネット幅をマグネット基準幅に対して大きくとるようにしても良い。特に、上下端はガスケットの４隅でありガスケットが追従し難い傾向にあるためである。
【００４５】
本実施の形態の冷蔵庫において、左側扉と右側扉の扉ガスケット１１０が吸着する磁性体１１２の左右での磁力を左＜右としている。これは、扉の幅方向の寸法は、左：右で概ね３：７であり、扉の回転軌跡と回転仕切体２００が取り付いている左側扉の開扉力が大きいためである。このとき、マグネットの取付け作業で、左右で磁力の違うマグネットを間違えて取り付けないように、本実施の形態の冷蔵庫においては、マグネットの片側に切り込みを入れつつ、仕切板側も合わせた形状としている。切り込みは、コの字形状でも端面をＣ面カットしても良い。
【００４６】
また、磁石は着磁面によって磁力が異なるため、表裏が判別できるように例えば、筋や刻印等を入れることで判別しやすくすることも、モノづくり工程でポカよけを行うための
有効な手段である。
【００４７】
マグネットの材料はフェライト磁石を用いたが、強力な磁石（例えばネオジム磁石）を用いることで飛び付き性は良化するが、高価となるため製品の目標コストによっては使い分けることも良い。
【００４８】
ガスケットの吸引力は、マグネットの外形寸法や着磁方法、材料を変更することで様々な磁力のマグネットが出来るが、飛び付き性や、開扉力を考慮して適切な磁力のマグネットを使用すると良い。
【００４９】
磁石は熱エネルギーの関係で磁気特性が変化する特性を持っている。更に、本実施の形態での磁石は、プラスチックマグネットを使用しており、ゴムに磁石材料や金属粉末を加えて作られているものであるため、弾性特性を持っている。そのため、マグネットに直接、熱影響を与えないように、本実施の形態では、図３のように、マグネットとヒータを離して配設し、直接接触することがないようにしている。
【００５０】
マグネットとヒータが直接接触することがないように、マグネットとヒータが配設する間にリブ等を設け、機械的構造をもって接触しないようにしても良い。この場合、リブに沿ってマグネット及びヒータを配設することも出来るため、ガイドの役割も担うこととなる。
【００５１】
また、仕切板２１０と仕切枠体２３０を合成樹脂製とした場合、熱膨張の影響で例えば庫内温度が低いと仕切枠体２３０は縮み、庫外温度が高いと仕切板２１０は伸びる方向となる。従ってこの伸縮差により回転仕切体２００は長手側に反る力が働くが、金属製の補強板２５０が回転仕切体２００の略全高域に挿入されているので、反りの影響を排除することができる。これによって、外部からの熱侵入を抑えた高信頼性の扉密閉が確保できる。
【００５２】
次に、補強板２５０について説明する。
【００５３】
図２のように、補強板２５０は、回転仕切体２００の内部で庫内側に位置し、ヒータ線を中心とした所定円周の外側に配設している。これにより、ヒータの発熱が庫内側へ伝わり難くなるため庫内の冷却負荷量が低減され省エネになる。更に、補強板２５０の奥面部、即ち庫内側の形状は、仕切枠体２３０に略並行に配置した形状であり、補強板２５０の側面部は折り曲げた形状である。即ち、断面コの字状に形成されている。さらに、側面部には穴を開け、仕切枠体２３０から出した爪に固定する方法を取っている。これにより、庫内外での温度差による熱膨張による影響を抑え、長手方向の反りを抑制している。
【００５４】
本実施の形態では、補強板２５０の仕切枠体２３０への固定を爪固定としているが、補強板２５０の奥面部に貫通穴を設け、仕切枠体２３０に引っ掛け機構を設けることで、補強板２５０をスライドさせながら仕切枠体２３０に固定することも出来る。この場合、貫通穴の数を適当に設定することで作業工数低減と固定強度を最大限に保つことが可能となる。スライド機構とした場合には、補強板２５０が仕切枠体２３０に固定されていることが目視で理解できるため、作業の正確性向上と確実性向上ができる。
【００５５】
本実施の形態では、補強板２５０と回転仕切体２００とは熱縁切り構造を備えている。これは、庫内の０〜１０℃程度の冷蔵温度帯により、回転仕切体２００が冷却され、回転仕切体２００から補強板２５０へと冷熱が伝熱する。この伝熱を抑制する方法として、熱縁切り構造を備える。補強板２５０と仕切枠体２３０が面接触すると伝熱しやすくなり、回転仕切体２００自体のソリ強度も悪化する。具体的な熱縁切り構造は、仕切枠体２３０
にリブを設け、補強板２５０との隙間を作っている。リブの高さは、仕切枠体２３０の板厚の半分以下としており、概ね１ｍｍ程度である。さらに、このリブは、補強板２５０を取り付けるときのガイドにもしており作業性の向上も図っている。さらに、仕切枠体２３０自身のソリ抑制、ねじれ抑制の効果も担っており、解析等を用いて最適な位置及び形状を選定すると良い。
【００５６】
本実施の形態では、リブ形状としたが、突起として点接触としても良い。この場合、伝熱がさらに抑制されることとなる。
【００５７】
仕切枠体２３０自身も、部分的に薄肉化を施すことによって、熱縁切り構造とすることができる。また、薄肉よりも貫通穴を開けて穴部に断熱材を施しても良い。これにより、さらに伝熱しにくくなる。
【００５８】
補強板２５０の奥平面部には、強度に影響し難い部分に穴を設けることで部品自体の軽量化が図れると共に、材料費減によるコストダウンや重量減をすることができる。本実施の形態では、補強板２５０の平面部に複数個の概ね３５×１５ｍｍの長穴を設けている。強度解析や実機試作検討を行いながら変形変位の影響が小さい部分の穴抜きを行うことで、強度確保しつつ、約１５％の重量減を行うことが出来ている。
【００５９】
また、補強板２５０は両端を曲げた断面コの字状の形状とし、板厚よりも曲げ寸法高さ（フランジ高さ）を大きくしている。すなわち、補強板２５０自身で強度を確保した形状としている。具体的には、板厚をｔ１．０ｍｍとし、フランジ高さを１３．０ｍｍと８．５ｍｍとし、左右で高さは違う寸法としている。これは、ドアを開閉するときの回転仕切体２００の回転軌跡上、左右での厚みが異なるためである。
【００６０】
補強板２５０の板厚、フランジ高さは単体強度に影響を及ぼすファクターであり、一般的に、強度（断面２次モーメント）は、（幅の３乗）×高さ／１２の曲げ応力の式にて表せる。高さであるフランジ高さを高くすることで、補強板２５０の強度、即ち、回転仕切体２００の強度を高めることができる。しかしながら、フランジ高さを高くすると、ヒータが発熱する熱影響を受けやすくなり、庫内への侵入熱となるため消費電力量が増加する恐れがある。そのため、本実施の形態では、ヒータ線を中心とした所定円周の外側において、補強板２５０の背面平面部までのヒータ線中心からの距離：Ｘに対し、フランジまでの距離：Ｙの関係を、Ｘ≦Ｙとすることで強度と庫内への熱侵入抑制による省エネを図っている。
【００６１】
本実施の形態の回転仕切体２００の長さは、概ね８００ｍｍ程度であるが、今後の冷蔵庫の大容量化に伴う場合や、冷蔵室の大型化によるものなどで、回転仕切体２００の長手方向に長くなる場合には、補強板２５０の強度確保のためフランジ高さを高くしつつ板厚を下げるか、板厚を上げてフランジ高さを低くすると良い。
【００６２】
本実施の形態の補強板２５０は、表面に亜鉛メッキ処理を施して腐食を抑制している。補強板２５０は回転仕切体２００の内部に配設され、直接、外気に触れることはなく腐食し難いが、亜鉛メッキ処理を表面に施すことで１０年を超える長期や、雨水にさらされた場合でも機能を損なわないようにしている。
【００６３】
本実施の形態の補強板２５０は、回転仕切体２００の略全高域に配設し、長手方向の冷蔵貯蔵室の天面側を折り曲げてキャップ２１３とビス固定している。これにより、反りに対する強度ＵＰと、ドア開閉時に応力がかかるキャップ２１３と回転仕切体２００との嵌合力を上げて変形の抑制を図ることが出来る。キャップ２１３と補強板２５０と仕切枠体２３０とは、ビスで共締めしているため、さらに、作業工数の低減、部品点数の低減によ
りコストダウンも図っている。
【００６４】
本実施の形態では、回転仕切体２００の上部に関して説明したが、下部も補強板２５０と仕切枠体２３０とをビス共締めしてもよい。上下部でキャップ２１３と補強板２５０と仕切枠体２３０と仕切板２１０を纏めてビス固定することで、より強固な嵌合とすることが出来る。
【００６５】
補強板２５０は、回転仕切体２００の略全高域に配設しているが、補強板２５０の奥平面部の少なくとも一部を、回転仕切体２００と冷蔵室ドアとの固定連結部を含む上下端まで配設することで回転仕切体２００の強度確保を行っている。
【００６６】
次に、本実施の形態における、加熱用ヒータについて説明する。
【００６７】
図７において、加温手段２４０は図中一点鎖線右側に長さＬを持つ直線状のヒータの加温部分２４１と、一点鎖線左側に発熱しない電線等の接続部分２４２で構成される。加温部分２４１は図４に示す様に、回転仕切体２００の略全高域とほぼ同じ長さで、合成樹脂製の仕切板２１０の中央に配置される。加温部分２４１はその発熱量すなわちワット密度が可変であり、図７では部位ａ、ｂ、ｃと３区分を可変としている。加温部分２４１のヒータを可変にする具体的な手段としては、線状巻線抵抗線の巻きピッチを変えて抵抗値を可変したり、印刷抵抗の抵抗ペースト成分を可変してシート抵抗としたり、抵抗値の異なる発熱抵抗線を直列接続すれば可能である。本実施の形態では部位を３区分としたが、目的に応じて複数区分とすれば良い。
【００６８】
図８において、ヒータに通電がない場合、仕切板２１０の表面温度は点線で示す様に、中央部（部位ｂ）では高く、両端に向かうほど温度は低くなる（部位ａ、ｃ）。これは冷蔵貯蔵室１０５と扉ガスケット１１０の密閉性や熱伝導、あるいは冷蔵貯蔵室１０５内の冷気循環影響により温度分布の不均一が発生してしまうからである。回転仕切体２００の上下端はドアを開閉するために、庫内内箱との隙間を設けている。この隙間を、左右のガスケットをあわせることで庫内外の冷気漏れを防止しているが、庫内を循環する冷気が隙間に入りやすくなるため、表面温度が低い傾向にある。次に、ヒータを通電する場合、仕切板２１０の表面温度が結露領域にあるので、ヒータを通電して各部位を結露境界線以上の温度に昇温させる必要がある。
【００６９】
この時、従来の様な一点鎖線で示す発熱量一定のヒータでは、各部位の温度上昇が一定のため、最も温度の低い部位ａ、ｃに発熱量を合わせる必要があり、部位ｂに対しては一点鎖線の様に不必要な温度上昇が発生してしまう。
【００７０】
一方、本実施の形態では図７に示す様に、ヒータの発熱量を部位により可変にしている。すなわち実線で示す様に、部位ｂは発熱量を小さくし、部位ａ、ｃでは大きくする。こうすることで、ヒータ通電なしの仕切板２１０の表面温度（点線）は、露点境界線を必要最小限越えた均一な表面温度（実線）にすることができる。これをヒータの発熱量で従来と比較すると、斜線で囲った領域分の発熱量が不要で、その分消費電力量が削減できる。
【００７１】
以上のように、本実施の形態においては、加温手段２４０の加温部分２４１を複数に分割した部位とし、各部位のワット密度を可変としたことにより、冷蔵庫１００の回転仕切体２００の形状変更等による断熱性能差に対しても、仕切板２１０の表面温度が均一化されるので、温度分布ばらつきがなくなり不必要な電力入力が削減できる。
【００７２】
加温手段２４０には、ヒータの加温部分２４１と電線の接続部分２４２とを電気的に接続する切替え部分２４３が部位ａの範囲にある。切替え部分２４３には防水性が要求され
、樹脂モールドやチューブ封止するのが一般的で、加温部分２４１の線形より太くなる。
【００７３】
本実施の形態では、アルミ箔にヒータが溶着されたアルミ箔ヒータを用いている。これによって、仕切板２１０の表面に対して、ヒータがアルミを介して面接触できる。なお、アルミ無しでヒータを配設しても良い。この場合は、仕切板２１０に溝等をつけてヒータを圧接して入れ込むことで容易に固定出来るため、材料費低減と工程の簡素化が可能となる。
【００７４】
ヒータが接する仕切板２１０の部分は、板厚を薄くすれば伝熱がよくなり、ヒータ容量も低減できるため省エネになる。薄くすると表面のヒケ発生等での外観不良や高度な成型精度が必要で生産性が落ちることでのコストＵＰとなる場合があり、本実施の形態では、ヒータが接する仕切板２１０の部分の厚みを１ｍｍ以上としている。これによって、省エネ効果とコストのバランスを両立させている。
【００７５】
ヒータが接する仕切板２１０の部分を薄い板や膜等を重ねて３層程度の多重構造としても良い。この場合、成型機で１ｍｍ以下の厚みが出来なくとも、ヒータが接する部分のみ、例えば薄い平板を重ねることで伝熱向上することが出来る。
【００７６】
回転仕切体２００内部は断熱材として、発泡スチロール製の断熱材２２０を配設しているが、この発泡密度を３０％程度としている。この低密度発泡によって、断熱材自体の強度を確保し、回転仕切体２００自体のソリ強度も向上させている。さらに低発泡密度としてもよい。
【００７７】
本実施の形態では、発泡スチロール製の断熱材２２０を配設しているが、高断熱性能である発泡ウレタンでも良い。この場合、断熱性能を表す熱伝導率が約３倍に向上するため、更なる必要なヒータ容量も低減でき、省エネを推進することが出来る。加えて、成型された発泡スチロールよりも、ウレタンを内部に流し込んで発泡するため周囲の部品との密着によって、回転仕切体全体としての強度を上げることができる。
【００７８】
また、回転仕切体２００の内部に真空断熱材を配設しても良い。この場合、断熱性能が更に向上するため、庫内からの熱影響を更に抑制できると共に、真空断熱材が柱の役目をすることで強度も強くなる。
【００７９】
真空断熱材を発泡スチロール製の断熱材２２０の内部に配設し一体発泡することも出来る。この場合、真空断熱材の周囲は断熱材２２０で覆われるため真空断熱材の外皮による熱の回り込みも発生せず、断熱性能に優れた構造となり、必要なヒータ容量及び通電率を下げることが出来るため省エネとなる。
【００８０】
仕切板２１０は合成樹脂製である。本実施の形態では、ＰＳ（ポリスチレン）を使用している。ＡＢＳ材料を用いても良い。この場合、ヒータ線やヒータ線と電線部を接続する溶着部、マグネット等に可塑剤（樹脂を柔らかくする添加剤）が混入されているが、ＡＢＳ材料を用いることによって、可塑剤の他素材への移行が更にし難くなる。
【００８１】
ＡＢＳ材料はＰＳ材料に対して高価であるため可塑剤の移行性への配慮としては、アルミテープを貼り付けるもしくは覆う事で移行性を無くすことも出来る。
【００８２】
仕切板２１０の材料として、磁性材を含んだ材料や、表面に磁性塗料を塗布したものを用いても良い。この場合、ガスケットとの密着性及び飛び付き性が向上するため、強固であれば、磁性体２１１を用いなくてもよい。これにより、断熱材の厚みを増やすことが出来るため更なる省エネと、部品点数の低減で直材及び工数のコストダウンを図ることが出
来る。
【００８３】
以上のように、本実施の形態においては、冷蔵貯蔵室１０５の左右扉の少なくともいずれか一方（ここでは左側扉１０２）の反枢支側の内面に、縦方向に亙る回転仕切体２００を設けて扉ガスケット１１０の吸着面１１１を樹脂性の仕切板２１０とし、仕切板２１０内側に磁性体２１１を扉ガスケット１１０内蔵の磁性体１１２と対向する位置に配置し、その磁性体２１１の間に加温手段２４０の加温部分２４１を直線的に並行に配置し、仕切板２１０周縁部および断熱材２２０の外面を樹脂製の仕切枠体２３０で覆うと共に、回転仕切体２００の内部に金属製の補強板２５０を配置し、金属製の補強板２５０は断面コの字状で、仕切枠体２３０に係止したことにより、庫内外の温度差による回転仕切体２００の反りが防止でき、外部からの庫内への熱侵入を抑えることができる。
【００８４】
さらに、仕切板２１０の表面温度を従来の薄鋼板製よりも高く維持でき、結露防止のための加温手段２４０の電力入力が少なくなるので、冷蔵庫１００の消費電力を削減することができる。
【００８５】
また、加温手段２４０の接続部分２４２を断熱材２２０を介して、加温部分２４１と逆面に配置するので、加温部分２４１が直線状に配置され、仕切板２１０内面に配置する磁性体２１１の取り付けスペースが確保でき、扉ガスケット１１０内面の磁性体１１２と精度良く対向されるので、回転仕切体２００と扉ガスケット１１０との吸着状態の信頼性が確保できる。
【００８６】
さらに、加温手段２４０は合成樹脂製の仕切板２１０の内面に配設され、人が触れる部分が合成樹脂のため漏電対応の必要がなく、アース線の廃止で低コスト化を図ることができる。
【００８７】
また、断熱材２２０と仕切枠体２３０の間に略全高域に金属製の補強板２５０を挿入するので、合成樹脂製の仕切板２１０と仕切枠体２３０の熱膨張差による回転仕切体２００の反りが防止でき、外部からの熱侵入を抑えた高信頼性の扉密閉が確保できる。
【００８８】
（実施の形態２）
図９は本発明の実施の形態２による冷蔵室の閉扉状態での要部を示す断面図、図１０は同実施の形態２による図９のＤ−Ｄ断面図、図１１は同実施の形態２による冷蔵室の回転仕切体の分解斜視図、図１２は同実施の形態２による冷蔵庫の加温手段の具体構成図である。なお、実施の形態１と同一構成については同一符号を付して、異なる部分について説明する。
【００８９】
図９から図１２において、加温手段２４０の加温部分２４１は、仕切板２１０に直線的に配置された２本の磁性体２１１の間に配置され、２本（往復）の加温部分２４１は並行して磁性体２１１と接触しないように断熱材２２０で圧接保持されている。尚、本実施の形態では磁性体２１１の間に配置する加温部分２４１を２本としたが、スペースが確保できれば更に本数を増やしてもよい。
【００９０】
また、加温手段２４０にはヒータの加温部分２４１と電線の接続部分２４２を電気的に接続する切替え部分２４３が部位ａの範囲にある。切替え部分２４３には防水性が要求され、樹脂モールドやチューブ封止するのが一般的で、加温部分２４１の線形より太くなる。そのためその横を並走する加温部分２４１の本数は、他の部位ｂ、ｃと比べ少ない本数となる。
【００９１】
以上のように構成された冷蔵庫について、以下その動作、作用について説明する。
【００９２】
実施の形態１で説明した様に、図１２に示す仕切板２１０の表面温度を全長Ｌにおいて一定にするように、加温部分２４１のヒータのワット密度を同様に可変させる。本実施の形態では複数本の加温部分２４１が配置されているので、実施の形態１よりもさらに低入力で所望の温度上昇を得ることができる。
【００９３】
しかしながら、部位ａには切替え部位２４３ａ、２４３ｂがあり部位ｃよりも加温部分２４１の本数が少なくなり、部位ｃと同じワット密度のヒータでは加温不足となる。そこで部位ａのヒータ線は１本に対し部位ｃは２本であるため、部位ａのワット密度を部位ｃの約２倍にすれば同等の温度上昇を得ることができる。
【００９４】
尚、本実施の形態では部位ａに関してワット密度を上げることとしたが、加温部分２４１のヒータ本数が他の部位に対して少ない任意の部位に対して行えば良い。
【００９５】
以上のように、本実施の形態においては、仕切板２１０内側の磁性体２１１の間に加温手段２４０の加温部分２４１を複数本直線的に配置するので、狭スペースでの配置が可能で、かつ加温部分２４１のヒータの単位長さ当たりのワット密度を小さく、あるいは通電率を下げることが可能で、結露防止のための入力電力を低減できる。さらに断熱材２２０の片側面だけで加温手段２４０を構成するので、配線作業も簡素化でき工数削減を図ることができる。
【００９６】
また、加温手段２４０の加温部分２４１を複数に分割した部位として各部位のワット密度を可変とし、切替え部位２４３ａ、２４３ｂと平行となる加温部分２４１の範囲のワット密度を、他の範囲のワット密度よりも大きくしたことにより、切替え部位２４３ａ、２４３ｂ付近の加温部分２４１の本数減による温度上昇不足分を補え、回転仕切体２００の仕切板２１０の表面温度が均一化され、温度分布ばらつきがなくなりさらに電力入力が低減できる。
【００９７】
（実施の形態３）
図１３は本発明の実施の形態３による冷蔵室の回転仕切体の分解斜視図、図１４は同実施の形態３による冷蔵庫の加温手段の具体構成図である。なお、実施の形態１および２と同一構成については同一符号を付して、異なる部分について説明する。
【００９８】
図１３および１４において、加温手段２４０の接続部分（電線）２４２と加温部分（ヒータ）２４１を電気的に接続する切替え部位２４３ａ、２４３ｂは、回転仕切体２００の長手方向の中心に近接して配置される。一方の切替え部位２４３ａの接続部分２４２側にはワット密度Ｗ１で長さＬ１の部位ｄが接続され、他方の切替え部位２４３ｂには同じワット密度Ｗ１と長さＬ１の部位ｊが接続される。さらに、部位ｄにはワット密度Ｗ２で長さＬ２の部位ｅと、ワット密度Ｗ３で長さＬ３の部位ｆが順につながる。また、部位ｊの方にはワット密度Ｗ２で長さＬ２の部位ｉと、ワット密度Ｗ３で長さＬ３の部位ｈが順につながり、最終的にワット密度Ｗ４で長さＬ４の部位ｇが、部位ｆと部位ｈに接続され可変ワット密度の閉ループのヒータを構成する。尚、本実施の形態では発熱部位を部位ｄからｊの７か所としたが、切替え部位２４３ａ、２４３ｂを中心としてワット密度と長さが対称となる任意の部位数にすればよい。
【００９９】
また、切替え部位２４３ａ、２４３ｂの横を並走する加温部分２４１の部位ｇは、他の部位より本数が少ないため、ワット密度を大きくすればよい。すなわち、Ｗ４＞（Ｗ１〜Ｗ３）の関係になることが一般的である。
【０１００】
以上のように構成された冷蔵庫について、以下その動作、作用について説明する。
【０１０１】
加温手段２４０が通電されると、加温部分２４１の各部位ｄからｊが発熱し、仕切板２１０の表面を全長Ｌにおいて所望の温度に安定させる。この時、何らかの作業ミスが発生し切替え部位２４３ａと２４３ｂが逆設置、すなわち加温部分２４１の正しい発熱部位の順ｄ→ｅ→ｆ→ｇ→ｈ→ｉ→ｊが、間違ってｊ→ｉ→ｈ→ｇ→ｆ→ｅ→ｄの順になってしまった場合、もし各部位ｄからｊのワット密度と長さが異なっていれば、逆設置されると、仕切板２１０の表面温度は大きくばらつき、偏った温度分布となってしまう。
【０１０２】
しかし、本実施の形態では切替え部位２４３ａと２４３ｂが逆設置されたとしても、加温部分２４１の全長Ｌにおけるワット密度と長さの関係は、上下対称なため正規取付と全く変わらない。
【０１０３】
以上のように、本実施の形態においては、一方の切替え部位２４３ａに接続される加温部分の部位ｄのワット密度と長さが、他方の切替え部位２４３ｂに接続される加温部分の部位ｊと同一で、更にワット密度を可変としてそれぞれへ順に接続される加温部分の部位ｅおよび部位ｉも同様にワット密度と長さを同一とし、すなわち切替え部位２４３ａ、ｂを中心に対称な発熱分布とした加温手段２４０において、切替え部位２４３ａ、２４３ｂを回転仕切体２００の長手方向の中心に配置したので、回転仕切体２００の組立作業で加温手段２４０を装着する時に、切替え部位２４３ａと２４３ｂを逆にして固定した場合でも、加温部分２４１の可変としたワット密度と長さの関係は上下対称となり、その回転仕切体２００の仕切板２１０の表面温度も同じになる。よって、作業工程での組立不良がなくせるばかりでなく、加温手段２４０の向きを確認して装着する工数も大幅に短縮することができる。
【０１０４】
（実施の形態４）
図１５は本発明の実施の形態４による冷蔵室の閉扉状態での要部を示す断面図である。なお、実施の形態１ないし３と同一構成については同一符号を付して、異なる部分について説明する。
【０１０５】
図１５において、回転仕切体２００の内部には実施の形態１から３と同様に、発泡スチロール製の断熱材２２０と加温手段２４０及び背面側には金属性プレートの補強板２５０が配設してあり、補強板２５０は、冷蔵庫の高さ方向に対して回転仕切体２００の略全高域に配置される。仕切板２１０は合成樹脂性で構成されており、前面には金属板２６０が配設されている。
【０１０６】
本実施の形態では、仕切板２１０の上から金属板２６０を扉ガスケット１１０の吸着面１１１に合うように配設しているため、吸着用のマグネットが不要となり、回転仕切体２００内部の断熱材を大きくとることができるため、庫内からの冷熱影響を低減でき必要なヒータ容量及び通電率を低減できるため省エネを図ることが出来る。
【０１０７】
さらに、金属板２６０は、回転仕切体２００の強度確保用としての補強板２５０とは異なり、扉ガスケット１１０の吸着用であるため、厚みも薄くできる。また、端面の折り返しも不要であるため、軽量化と形状の簡略化が図れ、コスト低減も出来る。
【０１０８】
なお、金属板２６０を強度確保用とするならば、厚みＵＰと端面折り返しを行うことで、補強板２５０と合わせ、より強固な回転仕切体２００としての構成を可能とする。
【０１０９】
（実施の形態５）
図１６は本発明の実施の形態５による冷蔵室の閉扉状態での要部を示す断面図である。なお、実施の形態１ないし４と同一構成については同一符号を付して、異なる部分につい
て説明する。
【０１１０】
図１６において、回転仕切体２００の内部には実施の形態１から３と同様に、発泡スチロール製の断熱材２２０が配設され、背面側には金属性プレートの補強板２５０が配設してある。仕切板２１０は合成樹脂性で構成されており、仕切板２１０の前面には加温手段２４０と金属板２６０が配設されている。
【０１１１】
本実施の形態では、仕切板２１０の上から加温手段２４０と金属板２６０を扉ガスケット１１０の吸着面１１１に合うように配設している。これによって、吸着用のマグネットが不要となり、回転仕切体２００内部の断熱材を大きくとることができるため、庫内からの冷熱影響を低減でき必要なヒータ容量及び通電率を低減できるため省エネを図ることが出来る。
【０１１２】
さらに、加温手段２４０は回転仕切体２００の外形寸法である外枠外に配設されているため、低温となっている冷蔵室３からの熱影響は縁切りによって、影響を受け難い構成となっている。逆もしかりで、加温手段の熱は庫内側へと伝わり難い。加えて、金属板２６０に直接、加熱された熱を伝えることが出来るため、ヒータの容量及び通電率は少なくてよく、省エネ性に優れている。
【０１１３】
さらに、加温手段２４０と金属板２６０をアセンブリ化して後から取り付けることで、作業性が向上すると共に作業時間の短縮での工数削減が図れる。
【０１１４】
（実施の形態６）
図１７は本発明の実施の形態６による冷蔵室の閉扉状態での要部を示す断面図である。なお、実施の形態１ないし５と同一構成については同一符号を付して、異なる部分について説明する。
【０１１５】
図１７において、回転仕切体２００は、扉ガスケット１１０の吸着面１１１を形成する仕切板２１０と、回転仕切体２００内部に配設された発泡スチロール製の断熱材２２０と、仕切板２１０の周縁部および断熱材２２０の外面を覆う合成樹脂製の仕切枠体２３０と、仕切板２１０内面中央に配設された加温部分２４１と接続部分２４２で構成される加温手段２４０とから構成されている。
【０１１６】
本実施の形態では、断熱材２２０と仕切板２１０の間に冷蔵庫の高さ方向に対して回転仕切体２００の略全高域に配置された補強板２５０を配設し、仕切板２１０と補強板２５０の間に加温手段２４０を配設している。
【０１１７】
補強板２５０の仕切板２１０内側に接する面は、扉ガスケット１１０内に構成された磁性体１１２と対向するように配置されており、特に、中心線をあわせて幅方向を構成している。これによって、吸着用のマグネットが不要となり、回転仕切体２００の強度確保と扉ガスケット１１０との密着性を確保した上で、構成の簡素化による材料費と金型費、製造工程での工数も低減できる。
【０１１８】
なお、本実施の形態では、加温手段２４０のヒータ配設を１本として記載しているが、複数本としても良い。
【０１１９】
なお、補強板２５０の扉ガスケット１１０内に構成された磁性体１１２と合わさる部分を外観品位の向上のため、仕切板２１０内側に接するようにしているが、表面に露出し、直接、扉ガスケット１１０に接するようにしても良い。こうすることで、飛び付き性が向上し、密着性が良くなる。
【産業上の利用可能性】
【０１２０】
以上のように、本発明にかかる冷蔵庫は、回転仕切体と扉ガスケットの吸着面である仕切板を樹脂製としたものであり、結露を防止しつつ消費電力が削減できるので、業務用冷蔵庫等にも適用できる。また、樹脂製のフランジ内面に磁性体を配設して、扉ガスケットとの吸着を行う方法は、冷蔵庫の各貯蔵室を仕切る断熱仕切部材の前面のカバーにも応用できる。
【符号の説明】
【０１２１】
１００  冷蔵庫
１０２  左側扉
１０３  右側扉
１０５  冷蔵貯蔵室
１０６  製氷室
１０７  冷凍貯蔵室
１０８  野菜室
１０９  切替室
１１０  扉ガスケット
１１１  吸着面
１１２  磁性体
２００  回転仕切体
２１０  仕切板
２１１  磁性体
２１２  大気開放部
２２０  断熱材
２３０  仕切枠体
２４０  加温手段
２４１  加温部分（ヒータ）
２４２  接続部分（電線）
２４３ａ、２４３ｂ  切替え部位
２５０  補強板
５０１、５０２、５０３  カバー
【要約】
【課題】回転仕切体の強度確保のための仕切板は庫外へ露出しており、表面温度が低下するため、結露防止用として必要以上に加温手段を通電して仕切板を温めて、入力電力が増加してしまう。
【解決手段】左右扉の少なくともいずれか一方の反枢支側の内面に縦方向に亙る回転仕切体２００を設けて扉ガスケット１１０の吸着面とした冷蔵庫において、回転仕切体２００は、扉ガスケット１１０の吸着面を形成する仕切板２１０と、回転仕切体内部に配設された断熱材２２０と、仕切板２１０の周縁部および断熱材２２０の外面を覆う仕切枠体２３０と、回転仕切体２００の内部に金属製の補強板２５０を配置し、仕切板２１０の内面に加温手段２４０を備えたことにより、庫内外の温度差による回転仕切体２００の反りが防止でき、外部からの庫内への熱侵入を抑えることができるため、冷蔵庫１００の消費電力を削減することができる。
【選択図】図９【図１】
0005934953.tif 000002
【図２】
0005934953.tif 000003
【図３】
0005934953.tif 000004
【図４】
0005934953.tif 000005
【図５】
0005934953.tif 000006
【図６】
0005934953.tif 000007
【図７】
0005934953.tif 000008
【図８】
0005934953.tif 000009
【図９】
0005934953.tif 000010
【図１０】
0005934953.tif 000011
【図１１】
0005934953.tif 000012
【図１２】
0005934953.tif 000013
【図１３】
0005934953.tif 000014
【図１４】
0005934953.tif 000015
【図１５】
0005934953.tif 000016
【図１６】
0005934953.tif 000017
【図１７】
0005934953.tif 000018
【図１８】
0005934953.tif 000019
【図１９】
0005934953.tif 000020